(57)【要約】【課題】本発明は、木質バイオマス燃料を適切に処理することができるろ過フィルタユニット及びこれを用いた雨水処理設備を提供することを目的とする。【解決手段】互いに平行に配置された一対のフィルター材と、  該一対のフィルター材の間に充填された砂ろ過材と、  前記一対のフィルター材及び前記砂ろ過材の外周側面を覆うフレーム材と、を有する。【選択図】図１
2018168645.tif 000002
【特許請求の範囲】
【請求項１】
互いに平行に配置された一対のフィルター材と、
該一対のフィルター材の間に充填された砂ろ過材と、
前記一対のフィルター材及び前記砂ろ過材の外周側面を覆うフレーム材と、を有するろ過ユニット。
【請求項２】
前記一対のフィルター材は、不織布からなる請求項１に記載のろ過ユニット。
【請求項３】
前記フレーム材は、前記一対のフィルター材の周縁部も覆う請求項１又は２に記載のろ過ユニット。
【請求項４】
前記フレーム材には、前記一対のフィルター材を覆う一対の網材が設けられている請求項１乃至３のいずれか一項に記載のろ過ユニット。
【請求項５】
前記フィルター材が長方形の平面形状を有し、
前記長方形の長辺が鉛直方向に平行となるように縦長に配置されて用いられる請求項１乃至４のいずれか一項に記載のろ過ユニット。
【請求項６】
前記フレーム材の上面に砂投入口が設けられた請求項５に記載のろ過ユニット。
【請求項７】
前記フレーム材の上面には、吊下げ保持用の係合部材が設けられた請求項５又は６に記載のろ過ユニット。
【請求項８】
前記長方形の長辺は２ｍ以上の高さを有し、
前記長方形の短辺は５０ｃｍ以上の厚さを有する請求項５乃至７のいずれか一項に記載のろ過ユニット。
【請求項９】
雨水排水を貯留可能な雨水貯留外槽と、
該雨水貯留外槽内に設けられ、請求項５乃至８のいずれか一項に記載のろ過ユニットを複数個配列して形成した壁面を有する雨水貯留槽と、を有する雨水処理設備。
【請求項１０】
隣接して配列された前記ろ過ユニット同士を、所定間隙を有して連結固定する固定手段と、
前記隣接して配列された前記ろ過ユニット同士の前記所定間隙からの前記雨水排水の漏水を防止するシール材が設けられた請求項９に記載の雨水処理設備。
【請求項１１】
前記シール材はゴムからなる請求項１０に記載の雨水処理設備。
【請求項１２】
前記雨水貯留槽の上流側には、前処理用のフィルターが更に設けられた請求項９乃至１１のいずれか一項に記載の雨水処理設備。
【請求項１３】
前記雨水排水は、木質バイオマス燃料を含む請求項９乃至１２のいずれか一項に記載の雨水処理設備。
【請求項１４】
前記木質バイオマス燃料は、パームカーネルシェルである請求項１３に記載の雨水処理設備。
【発明の詳細な説明】
【技術分野】
【０００１】
本発明は、ろ過ユニット及びこれを用いた雨水処理設備に関する。
【背景技術】
【０００２】
木質バイオマス燃料の発電用燃料としての利用は、比較的最近開始された。よって、水質汚濁防止法の特定施設に指定されておらず、現在、木質バイオマス燃料に特化した水処理技術は存在しない。従来技術で木質バイオマス燃料の水処理に適用可能な技術としては、一次処理としては浮上分離や凝集沈殿、二次処理しては砂ろ過等が考えられる。
【０００３】
例えば、濁水を処理する濁水処理システムとして、第１凝集反応槽内の第１の被処理水がアルカリ性になるようにアルカリ性物質を添加するアルカリ添加手段と、第２の凝集反応槽内の第２被処理水が酸性になるように酸性物質を添加する酸添加手段と、第１被処理水に第１凝集剤を添加するための第１凝集剤添加手段と、第２被処理水に第２凝集剤を添加するための第２凝集剤添加手段と、濁水の濁度又はＳＳ濃度を検出する濁度／ＳＳ検出手段と、濁度／ＳＳ検出手段によって検出された濁度又はＳＳ濃度に基づいて第１凝集剤の添加量を制御する凝集剤制御手段と、を備えた濁水処理システムが知られている（例えば、特許文献１参照）。
【０００４】
かかる特許文献１に記載の濁水処理システムでは、濁度又はＳＳ濃度に基づいて第１凝集剤の添加量を制御するため、濁水の性状が大きく変動する場合にも適用可能であり、地震災害によって発生した災害廃棄物等にも適用可能であるとされている。
【先行技術文献】
【特許文献】
【０００５】
【特許文献１】特開２０１６−３８９号公報
【発明の概要】
【発明が解決しようとする課題】
【０００６】
しかしながら、特許文献１に記載の濁水処理システムにおいても、複数の反応槽、凝集剤添加手段等を必要としているように、濁水処理の従来技術は、機械設備等のイニシャルコスト、薬品や電力費等のランニングコストが必要であり、コストが高くなるおそれがある。このため、低廉な価格の水処理技術が求められている。
【０００７】
ところで、木質バイオマス燃料のうち、パームカーネルシェル（以下、「ＰＫＳ」と表記する。）は、アブラヤシパーム果実の種から核油を搾油した後の殻であり、近年、木質バイオマス燃料として採用されるようになってきている。ＰＫＳは木質の殻であるため、雨水に晒された場合、表面の微小な木くず等が洗い流されて、懸濁物質としての濁水に加わって排水されることがある。この濁水は、ＳＳ（浮遊物質・懸濁物質）とＣＯＤ（化学的酸素要求量）において水質汚濁防止法の一律排水基準を上回るおそれがあるため、雨水処理設備での適切な処理が必要となる。
【０００８】
そこで、本発明は、木質バイオマス燃料を適切に処理することができるろ過フィルタユニット及びこれを用いた雨水処理設備を提供することを目的とする。
【課題を解決するための手段】
【０００９】
上記目的を達成するため、本発明の一態様に係るろ過ユニットは、互いに平行に配置された一対のフィルター材と、
該一対のフィルター材の間に充填された砂ろ過材と、
前記一対のフィルター材及び前記砂ろ過材の外周側面を覆うフレーム材と、を有する。
【発明の効果】
【００１０】
本発明によれば、全水深で雨水のろ過を行うことができる。
【図面の簡単な説明】
【００１１】
【図１】本発明の実施形態に係るろ過ユニットの一例の概略構成を示す断面図である。
【図２】本発明の実施形態に係るろ過ユニットの一例の構成を示した多面図である。図２（ａ）は本実施形態に係るろ過ユニットの側面図である。図２（ｂ）は本実施形態に係るろ過ユニットの背面図である。図２（ｃ）は本実施形態に係るろ過ユニットの正面図である。
【図３】本実施形態に係るろ過ユニットの上面図である。
【図４】ろ過ユニット間の止水構造の一例を説明するための図である。
【図５】本発明の実施形態に係るろ過ユニットを用いた雨水処理設備の一例を示した図である。
【図６】前処理フィルターの一例を示した図である。図６（ａ）は前伊処理フィルターの一例の全体図である。図６（ｂ）は前処理フィルターのスクリーンの拡大図である。
【発明を実施するための形態】
【００１２】
以下、図面を参照して、本発明を実施するための形態の説明を行う。
【００１３】
図１は、本発明の実施形態に係るろ過ユニットの一例の概略構成を示す断面図である。図１に示されるように、本実施形態に係るろ過ユニット６０は、砂ろ過材１０と、一対のフィルター材２０とを有する。一対のフィルター材２０は、互いに平行となるように設けられ、一対のフィルター材２０の間の空間に砂ろ過材１０が充填された構成を有する。図１に示されるように、ＰＫＳの残滓や泥土など（以下、「ＰＫＳなど」と表記する。）を含有する雨水排水がろ過ユニット６０の左側にある場合に、ろ過ユニット６０を通過して右側に移動した際にろ過処理が行われ、ＰＫＳなどが除去された処理水（浄化水）となる。
【００１４】
本実施形態に係るろ過ユニットは、種々の用途に適用可能であるが、木質バイオマス燃料から発生する雨水排水を浄化する用途に好適に適用され得る。そのような用途で用いる場合、雨水貯留槽の壁面を構成するように複数のろ過ユニット６０を配列すれば、雨水貯留槽に貯留された雨水排水の水深に関わらず、常に雨水排水のろ過処理を行うことができる。つまり、図１に示されるように、砂ろ過材１０を一対のフィルター材２０で挟み込んだ断面構造を有するろ過ユニット６０を、雨水留槽の底面から上方に向かって縦長に延びるように配置すれば、水深が浅い場合であっても深い場合であっても、常にＰＫＳなどを含む雨水排水はろ過ユニット６０に接することができ、常に雨水貯留槽の壁面を介してろ過処理を行うことができる。なお、雨水貯留槽の外側には、雨水貯留外槽を設けておき、ここから排水処理施設に排水可能な構成としておけば、ろ過処理により浄化された処理水を排水することができる。
【００１５】
なお、木質バイオマス燃料を使用した発電で発生する雨水排水には、木くず等の懸濁物質のＣＯＤが多く含まれており、懸濁物質の除去は、ＳＳのみならず、ＣＯＤの低減にも効果が期待できる。
【００１６】
本実施形態に係るろ過ユニット６０は、このような懸濁物質の除去に極めて有効であり、雨水貯留槽の壁面の下端から上端までをろ過ユニット６０で構成するろ過壁とすることで、雨水貯留槽の全水深でろ過した処理水（浄化水）の排水を可能とする。また、貯留された雨水排水中の懸濁物質は自然沈殿するため、沈殿物については、雨水排水が無くなったときに除去すればよい。つまり、本実施形態に係るろ過ユニット６０を用いて雨水貯留槽の壁面を形成すれば、雨水貯留槽は、沈殿池とろ過槽の双方の機能を備えることができる。
【００１７】
ここで、ろ過ユニット６０は、上述のように、一対のフィルター材２０で砂ろ過材１０を挟む構造を有するが、砂ろ過材１０をフィルター材２０で挟むことで、砂ろ過材１０の内部への細粒の侵入を防止し、砂ろ過材１０の劣化を抑制することができる。
【００１８】
砂ろ過材１０は、上述のように、ＰＫＳなどをトラップすることができれば、種々の砂材を用いることができる。
【００１９】
フィルター材２０は、砂ろ過材１０を保持するとともに、文字通りフィルターとしての役割を有し、砂ろ過材１０への細粒の進入を防止し、砂ろ過材１０の劣化を低減させる。フィルター材２０には、例えば、不織布を用いるようにしてもよい。不織布は、用途に応じて適切な不織布を選択して良いが、例えば、ポリエステル系短繊維不織布を用いてもよい。具体的には、例えば、前田工繊株式会社製の「サンドフＳ−１０Ｇ」等を用いてもよい。
【００２０】
次に、ろ過ユニット６０の構成について、より詳細に説明する。
【００２１】
図２は、本発明の実施形態に係るろ過ユニット６０の一例の構成を示した多面図である。図２（ａ）は本実施形態に係るろ過ユニット６０の側面図であり、図２（ｂ）は本実施形態に係るろ過ユニット６０の背面図である。また、図２（ｃ）は、本実施形態に係るろ過ユニット６０の正面図である。なお、図２（ａ）は、全体としては側面図であるが、砂ろ過材１０及びフィルター材２０が視認できるように、その部分に関しては一部断面図となっている。
【００２２】
図２（ａ）に示されるように、ろ過ユニット６０は、平行に配置された一対のフィルター材２０の間に、砂ろ過材１０が充填されて構成される。一対のフィルター材２０は下端から上端まで延び、下端から上端まで砂ろ過材１０が充填されている。
【００２３】
なお、ろ過ユニット６０の高さＨ（図２（ｃ）参照）は、ろ過ユニット６０が雨水貯留槽の壁面に用いられる場合には、雨水貯留槽の壁面の高さＨと同じ高さに構成される。例えば、雨水貯留槽の高さは、２ｍ以上３ｍ以下の高さに構成される場合が多いので、ろ過ユニット６０の高さＨは２ｍ以上３ｍ以下の高さ、例えば、２．５ｍに設定してもよい。
【００２４】
また、ろ過ユニット６０の厚さは、ＰＫＳなどを含む雨水のろ過処理を行うのに必要な砂ろ過材１０の厚さを考慮して定められ、例えば２０ｃｍ以上４０ｃｍ以下であってもよい。より具体的には、例えば、ろ過ユニット６０は、３０ｃｍの厚さで構成されてもよい。
【００２５】
図２（ｂ）、（ｃ）に示されるように、砂ろ過材１０及びフィルター材２０の外周側面は、フレーム材３０で覆われる。フレーム材３０は、文字通り枠状に構成され、砂ろ過材１０及び一対のフィルター材２０を外側から保持する。よって、フレーム材３０は、少なくとも砂ろ過材１０及びフィルター材３０の厚さ方向に延びる部分を有し、砂ろ過材１０及びフィルター材２０の外周側面と接触し、これを保持する部分を有する。また、フレーム材３０は、砂ろ過材１０及びフィルター材２０を確実に保持すべく、フィルター材２０の平面形状部分の周縁部を覆う部分を有することが好ましい。これにより、砂ろ過材１０及びフィルター材２０をフレーム材３０内に確実に保持することができる。
【００２６】
更に、フレーム材３０には、一対のフィルター材２０の各面を覆うように、網材４０が取り付けられる。砂ろ過材１０及びフィルター材２０の外周側面をフレーム材３０で覆い、フィルター材２０を両面から網材４０で覆うことにより、砂ろ過材１０及びフィルター材２０を確実に保持することができる。
【００２７】
なお、網材４０は、外枠を形成するプレート状のフレーム４１を有し、フレーム４１をフレーム材３０にボルト４２で取り付けることにより、フレーム材３０と一体的に構成するようにしてもよい。この場合、フレーム材３０がフィルター材２０の周縁部を覆う部分を有して構成され、その部分にフレーム４１をボルト４２で取り付けるようにすれば、網材４０を容易にフレーム材３０に取り付けることができる。
【００２８】
フレーム材３０及び網材４０は、砂ろ過材１０及びフィルター材２０を適切に保持できる限り、種々の材料から構成されてよいが、例えば、鋼等の金属材料から構成されてもよい。鋼等の適切な金属材料を用いてフレーム材３０及び網材４０を構成することにより、十分な強度及び耐食性を得ることができる。
【００２９】
網材４０の格子の大きさは、用途に応じて適切な値としてよいが、例えば、５ｃｍ×５ｃｍ〜２０ｃｍ×２０ｃｍの範囲の大きさとしてもよい。より具体的には、例えば、網材４０の格子の大きさを、１０ｃｍ×１０ｃｍに設定してもよい。
【００３０】
なお、図２（ｂ）、（ｃ）に示されるように、網材４０は、特に特殊な用途が無ければ、正面側と背面側で同一の網材４０を使用するようにしてもよい。両面が同一の網材４０で済むので、製造コストを低減させることができる。逆に、正面側と背面側で網目の大きさ、形状等、構成を変えたい場合には、正面側と背面側とで異なる構成としてもよい。ここで、正面側は、雨水貯留槽の内壁をなす面を意味し、背面側は、雨水貯留槽の外壁をなす面を意味する。また、ろ過ユニット６０の幅は、用途に応じて適切な幅に構成してよいが、あまり小さいと雨水貯留槽の内壁を構成するのに非常に多くの枚数が必要となり、また大き過ぎると重量が重くなり、取扱いが困難となるため、例えば、５０ｃｍ以上２．０ｍ以下の範囲の幅としてもよい。より具体的には、例えば、幅Ｗを１ｍとしてもよい。
【００３１】
このように、ろ過ユニット６０はユニット状に構成されているので、雨水貯留槽の壁面を構成するように用いられた場合も、ユニット毎の交換が可能である。よって、雨水貯留槽のメインテナンスを非常に容易にすることができる。例えば、フィルター材２０の目詰まりが生じたら、雨水排水を貯留していない時に、網材４０の外からフィルター材２０に水を掛けてフィルター材２０を洗浄することが可能である。それでもフィルター材２０の目詰まりが解消しない場合には、網材４０を取り外し、フィルター材２０を取り外して洗浄したり、砂ろ過材１０を洗浄したりすることも可能である。更に、これらの耐用寿命に到達した場合には、砂ろ過材１０、フィルター材２０を適宜交換することが可能である。これらの洗浄、交換作業は、ろ過ユニット６０を雨水貯留槽６０から取り外して行うようにすれば、単体のろ過ユニット６０に対してのメインテナンスが可能となるので、メインテナンスを非常に容易にすることができる。また、砂ろ過材１０、フィルター材２０を交換する場合も、ろ過ユニット６０の単位で行うことができ、壁面全体の砂ろ過材１０及びフィルター材２０を交換する必要が無いので、メインテナンスの費用も少なくすることができる。
【００３２】
また、図２（ａ）に示されるように、ろ過ユニット６０は、止水ゴム５０、５１を更に備えてもよい。止水ゴム５０、５１は、ろ過ユニット６０を雨水貯留槽の壁面を形成するように配置した際、隣接して配置したろ過ユニット６０同士の間隙から雨水排水の漏洩を防止するべく、シール材として設けられるが、この点の詳細については後述する。なお、ろ過ユニット６０の下部から上部に亘り全体的に設けられている止水ゴム５０は、上述の目的で隣接するろ過ユニット６０間に設けられるシール材であり、下端の止水ゴム５１は、雨水貯留槽の施設側に設けられるシール材である。下端の止水ゴム５１は、ろ過ユニット６０の下端における雨水排水の漏洩を防止し、雨水貯留外槽に流出する雨水の総てがろ過ユニット６０のフィルター部分（フィルター材２０及び砂ろ過材１０）を通過するようにするために設けられる。
【００３３】
図３は、本実施形態に係るろ過ユニット６０の上面図である。図３に示されるように、ろ過ユニット６０が直方体で構成された場合、フレーム材３０の上面は長方形となる。フレーム材３０の上面には、必要に応じて砂投入口３３を設けるようにしてもよい。砂ろ過材１０が不足した場合には、砂投入口３３から砂ろ過材１０をフィルター材２０の間に投入し、砂ろ過材１０を適切な量に維持することができる。これにより、網材４０及びフィルター材３０を取り外すことなく砂ろ過材１０の不足を補うことができ、メインテナンスを容易にすることができる。
【００３４】
なお、フレーム材３０の上面には、必要に応じて、クレーン等の機械による吊下げ保持を容易に行うための係合部を設けてもよい。上述のように、ろ過ユニット６０は、畳１畳と同程度、又はそれよりも大きい大きさを有し、砂ろ過材１０、鋼等の金属材料からなるフレーム材３０及び網材４０を備えるため、２ｔ程度の重量になることが予想される。よって、このような重量物を取り扱う場合には、クレーン等の機械を用いる場合が多いため、クレーン等による支持及び搬送が容易となる構造を適宜追加してもよい。
【００３５】
図４は、ろ過ユニット６０間の止水構造の一例を説明するための図である。図４において、２個のろ過ユニット６０が連結固定されて雨水貯水槽の壁面を形成する場合の平面図が示されている。上述のように、ろ過ユニット６０は、必要に応じてユニット毎に交換等を行うため、隣接するろ過ユニット６０同士を密着させて固定することはできず、僅かな間隙Ｇを有した状態で配置される場合が多い。このような場合、間隙Ｇから雨水排水が漏洩するため、雨水排水の漏洩を防止する止水構造を設けることが好ましい。
【００３６】
図４において、フレーム材３０は、砂ろ過材１０及びフレーム材２０の外周側面を覆う側面部３１と、フレーム材２０の周縁部を覆うエッジ部３２を有して構成される。隣接するフレーム材３０の側面部３１同士は、間隙Ｇを有しており、この間隙Ｇから雨水排水が漏洩してしまう。そこで、隣接するフレーム材３０のエッジ部３２同士を跨ぐように止水ゴム５０を設け、間隙Ｇを塞ぐ構成とする。これにより、止水ゴム５０が隣接するフレーム材３０同士の間隙Ｇをシールし、雨水排水の漏洩を防止することができる。
【００３７】
なお、隣接するフレーム材３０同士は、固定治具７０を用いて、連結固定することが好ましい。固定治具７０で隣接するフレーム材３０同士を固定することにより、両者の間隙Ｇを塞ぐ適切な位置に止水ゴム５０を設けることができ、確実に雨水排水の漏洩を防止することができる。固定治具７０は、隣接するろ過ユニット６０のフレーム材３０同士を連結固定できる手段であれば、種々の構造を有してよい。図４においては、フレーム材３０のエッジ部３２の大部分を覆う幅を有して鉛直方向に延びるプレート部材７１をボルト７２で固定することにより、押圧部７３が止水ゴム５０を押圧する構造の固定治具７０が固定手段として例示されているが、ろ過ユニット６０同士を固定連結でき、止水ゴム５０等のシール材でろ過ユニット６０同士の間隙Ｇをシール出来る構造であれば、種々の構造であってよい。
【００３８】
図５は、本発明の実施形態に係るろ過ユニット６０を用いた雨水処理設備の一例を示した図である。図５に示されるように、雨水処理設備は、雨水貯留外槽９０の内側に、ろ過ユニット６０を配列して形成した雨水貯留槽６５を設けることにより構成される。雨水貯留槽６５は、ろ過ユニット６０を、長辺が縦、短辺が横となるように配置して複数個を並べて配列し、雨水貯留槽６５の壁面を構成する。ろ過ユニット６０同士の連結は、例えば、図４で説明した構造により行う。雨水貯留槽６５の内部は、沈殿池８０を構成し、ろ過ユニット６０を通過しないで沈殿池８０に沈殿する木くず等の沈殿物は、雨水排水が無くなったときに回収される。このように、本実施形態に係る雨水処理設備の雨水貯留槽６５は、ろ過装置としての機能と、沈殿池８０としての機能を併せ持つ。
【００３９】
まず、ろ過対象となるＰＫＳなどを含む雨水排水１３０は、ＰＫＳ置場から側溝１２０を通じて集水され、前処理フィルター１００に供給される。雨水排水１３０は、夾雑物として５ｍｍ〜３０ｍｍの大きさを有するＰＫＳ本体を含んでおり、そのまま処理設備に導水すると、ろ過ユニット６０の目詰まりの原因となる場合がある。そこで、必要に応じて、雨水貯留槽６５に雨水排水１３０の前段（上流側）に前処理フィルター１００を設けるようにしてもよい。
【００４０】
図６は、前処理フィルター１００の一例を示した図である。前処理フィルター１００は、ＰＫＳ本体を含む夾雑物を除去できれば、種々のフィルター装置を用いてよいが、例えば、図６に示されるような、無電力・旋回流式の夾雑物除去装置であるユニフィルターを用いてもよい。
【００４１】
図６（ａ）に示されるように、前処理フィルター１００として用いられるユニフィルターは、導入管１０１から導入された雨水排水１３０について、２枚の誘導板１０２により上下旋回流を発生させる。かかる上下旋回流による自洗効果でスクリーン１０３の目詰まりが生じず、メインテナンスが容易である。
【００４２】
図６（ｂ）は、スクリーン１０３の拡大図である。スクリーン１０３には、丸孔が形成され、フィルタリングが可能な構成となっている。なお、丸孔の径は、用途に応じて設定してよいが、例えば、０．５ｍｍ以上に設定してもよい。
【００４３】
ユニフィルターは、夾雑物除去装置として多く用いられている実績があり、電動機械構造機器を使用しておらず、またスクリーン１０３の目詰まりが少ないため、メインテナンスが容易である。例えば、前処理フィルター１００には、このようなユニフィルターを用いてもよい。
【００４４】
図５の説明に戻る。前処理フィルター１００を通過した雨水排水１３０は、減勢槽１１０を介して、沈殿池８０に導入される。ここで、減勢槽１１０は、雨水排水１３０の流入速度を低下させ、必要以上に夾雑物が沈殿池８０内で舞い上がることを防止するために設けられている。
【００４５】
雨水貯留槽６５の壁面は、複数のろ過ユニット６０が配列されて構成されているため、沈殿池８０内の雨水排水１３０は、壁面まで到達すれば、全水深においてろ過ユニット６０に接触し、ろ過される。ろ過された処理水は、雨水貯留外槽９０内に貯留され、排水槽１４０を経て、排水路１５０から排水される。
【００４６】
なお、雨水貯留外槽９０の大きさは、用途に応じて種々適宜定めることができるが、例えば、横２０〜３０ｍ、縦１０〜２０ｍ、深さ３〜５ｍ、ろ過フィルター６０の高さは２〜３ｍとしてもよい。より具体的には、一例として、横２５ｍ、縦１５ｍ、深さ３．８ｍ、ろ過フィルター６０の高さを２．５ｍに設定してもよい。
【００４７】
上述の通り、ろ過ユニット６０は、ユニット毎にメインテナンスが可能であるため、必要に応じて、取り外して個々にメインテナンスを行うことができる。また、ろ過ユニット６０を経由せず、沈殿池８０に沈殿した凝集物は、雨水排水１３０が無くなった時に回収すればよい。
【００４８】
このように、本実施形態に係るろ過ユニット６０及びこれを用いた雨水処理設備によれば、雨水貯留槽６５に貯留された雨水排水１３０の全水深においてろ過が可能であるとともに、ろ過ユニット６０のメインテナンスを容易に行うことができる。
【００４９】
以上、本発明の好ましい実施形態について詳説したが、本発明は、上述した実施形態に制限されることはなく、本発明の範囲を逸脱することなく、上述した実施形態に種々の変形及び置換を加えることができる。
【符号の説明】
【００５０】
１０    砂ろ過材
２０    フィルター材
３０    フレーム材
３１    側面部
３２    エッジ部
３３    砂投入口
４０    網材
４１    フレーム
５０、５１    止水ゴム
６０    ろ過ユニット
６５    雨水貯留槽
７０    固定治具
８０    沈殿池
９０    雨水貯留外槽
１００    前処理フィルター
１３０    雨水排水
【図１】
2018168645.tif 000003
【図２】
2018168645.tif 000004
【図３】
2018168645.tif 000005
【図４】
2018168645.tif 000006
【図５】
2018168645.tif 000007
【図６】
2018168645.tif 000008